(57)【要約】【課題】浴室に対する呼び掛けの要否を、携帯端末装置の使用者において適切に判断することが可能なふろシステム、サーバおよびプログラムを提供する。【解決手段】給湯システム１は、外部通信網４０に接続されたサーバ５０と、サーバ５０を介して携帯端末装置３０により遠隔制御が可能な給湯装置１０と、を備える。給湯装置１０は、浴室内に呼び掛けを行うための安否確認部１２３ｂを備える。サーバ５０は、携帯端末装置３０からの指令により給湯装置１０に呼び掛け指令を送信する呼び掛け処理部５０１ａと、給湯装置１０との間の通信履歴を記憶する記憶部５０２とを備え、携帯端末装置３０に対応付けられている給湯装置１０の通信履歴のうち、少なくとも、呼び掛けの実行に関する通信履歴を含む履歴情報を、携帯端末装置３０に送信する。【選択図】図２
2022002386.tif 000002
【特許請求の範囲】
【請求項１】
外部通信網に接続されたサーバと、
前記サーバを介して携帯端末装置により遠隔制御が可能なふろ機能装置と、を備え、
前記ふろ機能装置は、浴室内に呼び掛けを行うための安否確認部を備え、
前記サーバは、
前記携帯端末装置からの指令により前記ふろ機能装置に呼び掛け指令を送信する呼び掛け処理部と、
前記ふろ機能装置との間の通信履歴を記憶する記憶部と、を備え、
前記携帯端末装置に対応付けられている前記ふろ機能装置の前記通信履歴のうち、少なくとも、前記呼び掛けの実行に関する通信履歴を含む履歴情報を、前記携帯端末装置に送信する、
ことを特徴とするふろシステム。
【請求項２】
請求項１に記載のふろシステムにおいて、
前記安否確認部は、前記呼び掛けに対する応答の通知を前記サーバに送信し、
前記履歴情報は、前記応答に関する通信履歴を含む、
ことを特徴とするふろシステム。
【請求項３】
請求項１または２に記載のふろシステムにおいて、
前記ふろ機能装置は、浴槽に対する人の入退浴を検知する入退浴検知部を備え、前記入退浴検知部の検知結果を前記サーバに送信し、
前記履歴情報は、前記入退浴の検知結果に関する通信履歴を含む、
ことを特徴とするふろシステム。
【請求項４】
請求項１ないし３の何れか一項に記載のふろシステムにおいて、
前記ふろ機能装置は、浴室に対する人の入退室を検知する人感センサを備え、前記人感センサの検知結果を前記サーバに送信し、
前記履歴情報は、前記入退室の検知結果に関する通信履歴を含む、
ことを特徴とするふろシステム。
【請求項５】
請求項１ないし４の何れか一項に記載のふろシステムにおいて、
入浴時間が所定の設定時間を超過したことを判定する入浴タイマー部を備え、
前記サーバは、前記入浴タイマー部により入浴時間が所定の設定時間を超過したと判定されたことに基づいて、長時間入浴通知を前記携帯端末装置に送信する、
ことを特徴とするふろシステム。
【請求項６】
携帯端末装置との通信に基づいてふろ機能装置を制御するサーバであって、
前記携帯端末装置からの指令により、浴室内に呼び掛けを行うための呼び掛け指令を前記ふろ機能装置に送信する呼び掛け処理部と、
前記ふろ機能装置との間の通信履歴を記憶する記憶部と、を備え
前記携帯端末装置に対応付けられている前記ふろ機能装置の前記通信履歴のうち、少なくとも、前記呼び掛けの実行に関する通信履歴を含む履歴情報を、前記携帯端末装置に送信する、
ことを特徴とするサーバ。
【請求項７】
請求項６に記載のサーバにおいて、
前記記憶部は、前記呼び掛けに対する応答の通知を前記ふろ機能装置から受信して記憶し、
前記履歴情報は、前記応答に関する通信履歴を含む、
ことを特徴とするサーバ。
【請求項８】
請求項６または７に記載のサーバにおいて、
前記記憶部は、浴槽に対する入退浴の検知結果を前記ふろ機能装置から受信して記憶し、
前記履歴情報は、前記入退浴の検知結果に関する通信履歴を含む、
ことを特徴とするサーバ。
【請求項９】
請求項６ないし８の何れか一項に記載のサーバにおいて、
前記記憶部は、浴室に対する入退室の検知結果を前記ふろ機能装置から受信して記憶し、
前記履歴情報は、前記入退室の検知結果に関する通信履歴を含む、
ことを特徴とするサーバ。
【請求項１０】
所定のふろ関連機能を実行するふろ機能装置とサーバを介して通信する携帯端末装置の制御部に、所定の機能を実行させるプログラムであって、
入浴者に呼び掛けを行うための呼び掛け操作を受け付ける機能と、
前記呼び掛け操作が行われたことに基づいて呼び掛け指令を前記サーバに送信する機能と、
少なくとも前記ふろ機能装置に対する前記呼び掛けの実行に関する通信履歴を含む履歴情報を、前記サーバから受信する機能と、
前記呼び掛け操作の受け付けの際に、前記履歴情報を表示させるための機能と、を含むプログラム。
【請求項１１】
請求項１０に記載のプログラムにおいて、
前記履歴情報を表示させるための機能は、前記呼び掛け操作の受付画面に、前記履歴情報を表示させるための操作ボタンを含め、前記操作ボタンが操作されたことに基づいて、前記履歴情報を表示させる機能を含む、プログラム。
【請求項１２】
請求項１０に記載のプログラムにおいて、
前記履歴情報を表示させるための機能は、前記呼び掛け操作の受付画面に、前記履歴情報を表示させる機能を含む、プログラム。
【請求項１３】
請求項１０ないし１２の何れか一項に記載のプログラムにおいて、
前記履歴情報を表示させるための機能は、浴室に対する最新の入室以降の前記履歴情報を、前記最新の入室より前の前記履歴情報から区別可能に表示させる機能を含む、プログラム。
【請求項１４】
請求項１３に記載のプログラムにおいて、
前記履歴情報を表示させるための機能は、浴室に対する最新の入室以降の前記履歴情報のみを表示させる機能を含む、プログラム。
【請求項１５】
請求項１０ないし１４の何れか一項に記載のプログラムにおいて、
前記呼び掛け操作を受け付ける機能は、入浴時間が所定の設定時間を超過したことを示す長時間入浴通知を前記サーバから受信したことに基づいて、入浴が設定時間を超過したことの報知を、前記呼び掛けの操作の受け付け画面において行う機能を含む、プログラム。
【発明の詳細な説明】
【技術分野】
【０００１】
本発明は、携帯端末装置により遠隔制御が可能なふろシステム、当該ふろシステムを構成するサーバ、および、携帯端末装置の制御部に所定の機能を実行させるプログラムに関する。
【背景技術】
【０００２】
従来、給湯装置から浴槽に湯水を供給する方式のふろ機能装置が知られている。この他、浴槽に溜められた水を燃焼器に循環させて浴槽内の水を暖める方式のふろ機能装置も知られている。これらのふろ機能装置では、たとえば、浴室や台所に設置された複数のリモートコントローラによって、追い焚きや足し湯等のふろ関連機能が実行される。
【０００３】
また、近年、スマートフォン等の携帯端末装置を用いて宅外から給湯装置を遠隔制御するシステムが開発されている。このシステムでは、携帯端末装置を用いて、宅外から、入浴者を見まもる機能を備え得る。たとえば、見まもり機能を備えた給湯システムが、以下の特許文献１に記載されている。このシステムでは、入浴時間が所定の設定時間を超過した場合に、携帯端末装置にその旨が通知される。携帯端末装置の使用者は、この通知に応じて、適宜、入浴者に呼び掛けを行うための操作を行う。これにより、浴室内のリモートコントローラから入浴者に対し、安否確認のための呼び掛けが行われる。
【先行技術文献】
【特許文献】
【０００４】
【特許文献１】特開２０２０−４７１８２号公報
【発明の概要】
【発明が解決しようとする課題】
【０００５】
上記のようなシステムでは、宅内でお年寄り等の家族が入浴している場合に、携帯端末装置を用いて、入浴者に呼び掛けがなされるため、入浴者の安全性を高めることができる。
【０００６】
しかしながら、複数の使用者が、個々に、呼び掛けを行い得る携帯端末装置を所持している場合、各使用者は、他の使用者が既に呼び掛けを行ったか否かを把握できない。このため、各使用者は、自身で呼び掛けを行うべきか、あるいは、このまま放置すべきかを判断できず、対応に困るといった問題が起こり得る。
【０００７】
かかる課題に鑑み、本発明は、浴室に対する呼び掛けの要否を、携帯端末装置の使用者において適切に判断することが可能なふろシステム、サーバおよびプログラムを提供することを目的とする。
【課題を解決するための手段】
【０００８】
本発明の第１の態様は、ふろシステムに関する。この態様に係るふろシステムは、外部通信網に接続されたサーバと、前記サーバを介して携帯端末装置により遠隔制御が可能なふろ機能装置と、を備える。ここで、前記ふろ機能装置は、浴室内に呼び掛けを行うための安否確認部を備える。前記サーバは、前記携帯端末装置からの指令により前記ふろ機能装置に呼び掛け指令を送信する呼び掛け処理部と、前記ふろ機能装置との間の通信履歴を記憶する記憶部とを備え、前記携帯端末装置に対応付けられている前記ふろ機能装置の前記通信履歴のうち、少なくとも、前記呼び掛けの実行に関する通信履歴を含む履歴情報を、前記携帯端末装置に送信する。
【０００９】
本態様に係るふろシステムによれば、少なくとも、呼び掛けの実行に関する通信履歴を含む履歴情報が携帯端末装置に送信されるため、当該携帯端末装置において、呼び掛けの状況を出力できる。これにより、当該携帯端末装置の使用者は、他の携帯端末装置を介して既に呼び掛けが行われたか否かを知ることができる。よって、各使用者は、自身で呼び掛けを行うべきか、あるいは、このまま放置すべきかを判断でき、浴室内に対する呼び掛けを適切に行うことができる。
【００１０】
本態様に係るふろシステムにおいて、前記安否確認部は、前記呼び掛けに対する応答の通知を前記サーバに送信し、前記履歴情報は、前記応答に関する通信履歴を含み得る。
【００１１】
この構成によれば、呼び掛けに対して入浴者から応答があった場合に、その旨を、携帯端末装置で出力できる。よって、携帯端末装置の使用者は、自身が呼び掛けを行うべきか否かを、より適切に判断できる。
【００１２】
本態様に係るふろシステムにおいて、前記ふろ機能装置は、浴槽に対する人の入退浴を検知する入退浴検知部を備え、前記入退浴検知部の検知結果を前記サーバに送信し、前記履歴情報は、前記入退浴の検知結果に関する通信履歴を含み得る。
【００１３】
この構成によれば、履歴情報に基づいて、さらに、携帯端末装置において、浴槽に対する入退浴に関する情報を日時とともに出力できる。これにより、携帯端末装置の使用者は、入退浴の事実と、入浴が継続している場合は、その経過時間を知ることができる。よって、使用者は、自身が呼び掛けを行うべきか否かを、より適切に判断できる。
【００１４】
本態様に係るふろシステムにおいて、前記ふろ機能装置は、浴室に対する人の入退室を検知する人感センサを備え、前記人感センサの検知結果を前記サーバに送信し、前記履歴情報は、前記入退室の検知結果に関する通信履歴を含み得る。
【００１５】
この構成によれば、履歴情報に基づいて、さらに、携帯端末装置において、浴室に対する入退室に関する情報を日時とともに出力できる。これにより、携帯端末装置の使用者は、浴室に対する入退室の事実と、入室が継続している場合は、その経過時間を知ることができる。よって、使用者は、自身が呼び掛けを行うべきか否かを、さらに適切に判断できる。
【００１６】
本態様に係るふろシステムは、入浴時間が所定の設定時間を超過したことを判定する入浴タイマー部を備え得る。この場合、前記サーバは、前記入浴タイマー部により入浴時間が所定の設定時間を超過したと判定されたことに基づいて、長時間入浴通知を前記携帯端末装置に送信するよう構成され得る。
【００１７】
この構成によれば、携帯端末装置において、入浴時間が所定の設定時間を超過したことが出力され得る。携帯端末装置の使用者は、この報知を受けた際に履歴情報を確認することで、自身が呼び掛けを行うべきか否かを適切に判断できる。よって、使用者は、長時間の入浴が生じた場合に、適切に、呼び掛け操作を行うことができる。
【００１８】
本発明の第２の態様は、携帯端末装置との通信に基づいてふろ機能装置を制御するサーバに関する。この態様に係るサーバは、前記携帯端末装置からの指令により、浴室内に呼び掛けを行うための呼び掛け指令を前記ふろ機能装置に送信する呼び掛け処理部と、前記ふろ機能装置との間の通信履歴を記憶する記憶部とを備え、前記携帯端末装置に対応付けられている前記ふろ機能装置の前記通信履歴のうち、少なくとも、前記呼び掛けの実行に関する通信履歴を含む履歴情報を、前記携帯端末装置に送信する。
【００１９】
本態様に係るサーバによれば、上記第１の態様と同様、少なくとも、呼び掛けの実行に関する通信履歴を含む履歴情報が携帯端末装置に送信されるため、当該携帯端末装置において、呼び掛けの状況を出力できる。これにより、当該携帯端末装置の使用者は、他の携帯端末装置を介して呼び掛けが行われたか否かを知ることができる。よって、各使用者は、自身で呼び掛けを行うべきか、あるいは、このまま放置すべきかを判断でき、浴室内に対する呼び掛けを適切に行うことができる。
【００２０】
本態様に係るサーバにおいて、前記記憶部は、前記呼び掛けに対する応答の通知を前記ふろ機能装置から受信して記憶し、前記履歴情報は、前記応答に関する通信履歴を含み得る。
【００２１】
また、前記記憶部は、浴槽に対する入退浴の検知結果を前記ふろ機能装置から受信して記憶し、前記履歴情報は、前記入退浴の検知結果に関する通信履歴を含み得る。
【００２２】
さらに、前記記憶部は、浴室に対する入退室の検知結果を前記ふろ機能装置から受信して記憶し、前記履歴情報は、前記入退室の検知結果に関する通信履歴を含み得る。
【００２３】
これらの構成によれば、それぞれ、上記第１の態様の対応する構成による効果と同様の効果が奏され得る。
【００２４】
本発明の第３の態様は、所定のふろ関連機能を実行するふろ機能装置とサーバを介して通信する携帯端末装置の制御部に、所定の機能を実行させるプログラムに関する。この態様に係るプログラムは、入浴者に呼び掛けを行うための呼び掛け操作を受け付ける機能と、前記呼び掛け操作が行われたことに基づいて呼び掛け指令を前記サーバに送信する機能と、少なくとも前記ふろ機能装置に対する前記呼び掛けの実行に関する通信履歴を含む履歴情報を、前記サーバから受信する機能と、前記呼び掛け操作の受け付けの際に、前記履歴情報を表示させるための機能と、を含む。
【００２５】
本態様に係るプログラムによれば、携帯端末装置において、呼び掛け操作の受け付けの際に、少なくとも呼び掛けの実行に関する通信履歴を含む履歴情報が表示される。これにより、当該携帯端末装置の使用者は、自身の携帯端末装置により呼び掛け操作を行おうとする際に、履歴情報を参照することで、他の携帯端末装置を介して呼び掛けが行われたか否かを知ることができる。よって、各使用者は、自身で呼び掛けを行うべきか、あるいは、このまま放置すべきかを判断でき、浴室内に対する呼び掛けを適切に行うことができる。
【００２６】
本態様に係るプログラムにおいて、前記履歴情報を表示させるための機能は、前記呼び掛け操作の受付画面に、前記履歴情報を表示させるための操作ボタンを含め、前記操作ボタンが操作されたことに基づいて、前記履歴情報を表示させる機能を含み得る。
【００２７】
あるいは、前記履歴情報を表示させるための機能は、前記呼び掛け操作の受付画面に、前記履歴情報を表示させる機能を含み得る。
【００２８】
これら何れの機能によっても、受付画面に対する操作の際に、呼び掛け実行に関する履歴情報を表示させることができる。よって、各使用者は、自身で呼び掛けを行うべきか、あるいは、このまま放置すべきかを判断でき、呼び掛け操作の受付画面に対する対応を円滑に進めることができる。
【００２９】
本態様に係るプログラムにおいて、前記履歴情報を表示させるための機能は、浴室に対する最新の入室以降の前記履歴情報を、前記最新の入室より前の前記履歴情報から区別可能に表示させる機能を含み得る。
【００３０】
この機能によれば、携帯端末装置の使用者は、現時点の入室に対して呼び掛けが行われたか否かを、的確に把握できる。よって、使用者は、呼び掛けの要否を円滑に判断でき、呼び掛けの対応を適切に進めることができる。
【００３１】
この場合、前記履歴情報を表示させるための機能は、浴室に対する最新の入室以降の前記履歴情報のみを表示させる機能を含み得る。
【００３２】
この機能によれば、携帯端末装置の使用者は、現時点の入浴に対して呼び掛けが行われたか否かを、より的確に把握できる。よって、使用者は、呼び掛けの要否をより円滑に判断でき、呼び掛けの対応をより適切に進めることができる。
【００３３】
本態様に係るプログラムにおいて、前記呼び掛け操作を受け付ける機能は、入浴時間が所定の設定時間を超過したことを示す長時間入浴通知を前記サーバから受信したことに基づいて、入浴が設定時間を超過したことの報知を、前記呼び掛けの操作の受け付け画面において行う機能を含み得る。
【００３４】
この機能によれば、携帯端末装置の使用者は、上記報知により長時間の入浴が生じたことを把握でき、さらに、その際に、履歴情報を参照することで、当該長時間入浴に対して呼び掛けを行うべきか否かを適切に判断できる。よって、使用者は、長時間入浴に対する呼び掛け操作を、より円滑に進めることができる。
【発明の効果】
【００３５】
以上のとおり、本発明によれば、浴室に対する呼び掛けの要否を、携帯端末装置の使用者において適切に判断することが可能なふろシステム、サーバおよびプログラムを提供することができる。
【００３６】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３７】
【図１】図１は、実施形態に係る、給湯システムの構成を示す図である。
【図２】図２は、実施形態に係る、給湯システムを構成する各機器の回路ブロックを示す図である。
【図３】図３は、実施形態に係る、給湯器と浴槽との間の接続形態を模式的に示す図である。
【図４】図４は、実施形態に係る、ペアリング情報の構成を示す図である。
【図５】図５（ａ）は、実施形態に係る、アプリケーションブログラムの起動時に携帯端末装置の表示部に表示されるホーム画面の構成を示す図である。図５（ｂ）は、実施形態に係る、入浴タイマーの設定画面の構成を示す図である。
【図６】図６（ａ）は、実施形態に係る、サーバに記憶される通信履歴を示す図である。図６（ｂ）は、実施形態に係る、サーバから携帯端末装置に送信される履歴情報を示す図である。
【図７】図７は、実施形態に係る、入浴タイマー動作時に浴室リモコンが実行する制御を示すフローチャートである。
【図８】図８（ａ）、（ｂ）は、それぞれ、実施形態に係る、入浴タイマー動作時にサーバおよび携帯端末装置が実行する制御を示すフローチャートである。
【図９】図９（ａ）、（ｂ）は、それぞれ、実施形態に係る、ホーム画面および設定画面の表示形態を示す図である。
【図１０】図１０（ａ）〜（ｄ）は、それぞれ、実施形態に係る、浴室リモコンにおける呼び掛け動作を模式的に示す図である。
【図１１】図１１（ａ）、（ｂ）は、それぞれ、実施形態に係る、履歴情報の表示動作時に携帯端末装置およびサーバが実行する制御を示すフローチャートである。
【図１２】図１２（ａ）、（ｂ）は、それぞれ、実施形態に係る、履歴情報を表示するための履歴画面の構成例を示す図である。
【図１３】図１３（ａ）、（ｂ）は、それぞれ、実施形態に係る、履歴情報を表示するための履歴画面の他の構成を示す図である。
【図１４】図１４（ａ）は、変更例１に係る、設定画面の構成を示す図である。図１４（ｂ）は、変更例２に係る、受付画面の構成を示す図である。
【発明を実施するための形態】
【００３８】
以下、本発明の実施形態について図面を参照して説明する。
【００３９】
以下の実施形態では、給湯システム１が、特許請求の範囲に記載の「ふろシステム」に対応し、給湯装置１０が、特許請求の範囲に記載の「ふろ機能装置」に対応する。給湯装置１０は、ふろ関連機能とともに、台所の蛇口や、浴室のカラン等に対する給湯機能も実行する。また、設定画面７００が、特許請求の範囲に記載の「受付画面」に対応する。
【００４０】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００４１】
図１は、実施形態に係る給湯システム１の構成を示す図である。
【００４２】
図１に示すように、給湯システム１は、給湯装置１０と、サーバ５０とを備え、ルータ２０および外部通信網４０を介して、携帯端末装置３０により遠隔制御される。
【００４３】
給湯装置１０は、給湯器１１と、リモートコントローラ１２、１３とを備えている。給湯器１１は、ガスを燃料として湯を供給するガス給湯器である。給湯器１１により生成された湯は、給湯口１１ａにそれぞれ接続された配管を介して、台所の蛇口や、浴槽、カラン等に供給される。給湯器１１が、床暖房機能や、浴室暖房機能およびパネルヒータによる暖房機能を備える場合、これら機能を実現する機器に対して、給湯器１１から湯が供給される。
【００４４】
リモートコントローラ１２、１３は、給湯器１１に接続され、給湯装置１０の各機能について種々の設定を行うために用いられる。リモートコントローラ１２は、表示部１２１と、入力部１２２とを備え、リモートコントローラ１３は、タッチパネルからなる表示入力部１３１と、運転ボタン１３２とを備える。操作者は、表示部１２１に表示された画面に従って入力部１２２を操作することにより、湯張りや給湯温度調節等について、任意の設定を行うことができる。また、操作者は、表示入力部１３１を操作することによっても、湯張り等の設定を行える。
【００４５】
リモートコントローラ１２は、浴室に設置され、リモートコントローラ１３は、キッチン等に設置される。リモートコントローラ１２、１３には、音声を入出力するための音声窓１２ａ、１３ａが設けられている。
【００４６】
以下、浴室に設置されるリモートコントローラ１２を、「浴室リモコン１２」と称し、キッチン等に設置されるリモートコントローラ１３を、「台所リモコン１３」と称する。
【００４７】
浴室リモコン１２の入力部１２２には、運転ボタン１２２ａが含まれている。運転ボタン１２２ａ、１３２は、給湯器１１を運転オン状態と運転オフ状態とに切り替えるためのボタンである。
【００４８】
浴室リモコン１２および台所リモコン１３が運転オフ状態にあるとき、表示部１２１および表示入力部１３１は消灯状態にあり、運転ボタン１２２ａ、１３２以外の操作ボタンの操作は受け付けられない。運転ボタン１２２ａ、１３２が操作され、運転オン状態になると、表示部１２１および表示入力部１３１が点灯して設定内容が表示され、各操作ボタンの操作が受け付け可能となる。
【００４９】
さらに、入力部１２２および表示入力部１３１には、給湯温度を変更するためのボタンが含まれている。操作者は、このボタンを操作することにより、給湯の設定温度を変更することができる。この他、入力部１２２および表示入力部１３１には、追い焚き機能や、足し湯、足し水、ふろ自動機能等を実行するためのボタン等、給湯器１１の動作を制御するためのボタンが含まれている。
【００５０】
ルータ２０は、建物内（ここでは、宅内Ｈ１０）に存在する各機器を、外部通信網４０に接続するための通信中継器である。携帯端末装置３０が宅内Ｈ１０に存在する場合、携帯端末装置３０は、無線通信によりルータ２０に接続されて、サーバ５０と通信可能である。携帯端末装置３０は、たとえば、携帯電話機である。この他、携帯端末装置３０が、携帯型のタブレット端末等の他の携帯可能な端末装置であってもよい。外部通信網４０は、たとえば、インターネットである。
【００５１】
外部通信網４０には、給湯装置１０に対する遠隔制御を管理するためのサーバ５０が接続されている。台所リモコン１３は、ルータ２０および外部通信網４０を介して、サーバ５０と通信を行う。携帯端末装置３０が宅内Ｈ１０に存在する場合、携帯端末装置３０は、ルータ２０および外部通信網４０を介してサーバ５０と通信を行う。また、携帯端末装置３０が宅外にある場合、携帯端末装置３０は、外部に設置されたルータ６０または基地局７０を介して外部通信網４０に接続され、サーバ５０と通信を行う。
【００５２】
台所リモコン１３と携帯端末装置３０には、給湯システム１のアプリケーションプログラムが、サーバ５０からダウンロードされ、インストールされている。このアプリケーションプログラムに、サーバ５０にアクセスするためのアドレス情報（たとえば、ＩＰアドレス）が含まれている。台所リモコン１３と携帯端末装置３０は、このアドレス情報に基づいて、サーバ５０にアクセスし、通信を行う。
【００５３】
台所リモコン１３のアドレス情報は、初期設定の際に、サーバ５０に送信されて、サーバ５０に登録される。このとき同時に、台所リモコン１３のＩＤ情報（識別情報）が、台所リモコン１３からサーバ５０に送信されて、サーバ５０に登録される。また、給湯装置１０に対して遠隔制御を行うことが可能な携帯端末装置３０が、給湯装置１０に対応付けて、サーバ５０に登録される。具体的には、給湯装置１０（台所リモコン１３）のＩＤ情報と携帯端末装置３０のＩＤ情報およびアドレス情報とが互いに対応づけられて、サーバ５０に登録される。
【００５４】
こうして、携帯端末装置３０に関する情報がサーバ５０に登録されることにより、当該携帯端末装置３０の使用者は、宅内Ｈ１０と宅外の何れにおいても、携帯端末装置３０を用いて、給湯装置１０に対する遠隔制御を行うことができる。
【００５５】
すなわち、携帯端末装置３０が宅内Ｈ１０と宅外の何れにある場合も、使用者から携帯端末装置３０に入力された設定要求は、外部通信網４０を介して、一旦、サーバ５０に送信される。これを受けて、サーバ５０は、設定要求を受信した携帯端末装置３０に予め対応付けられている給湯装置１０に対して、受信した設定要求を送信する。これにより、設定要求が、外部通信網４０およびルータ２０を介して、対応する給湯装置１０の台所リモコン１３に送信される。こうして、使用者が要求する内容の設定が、遠隔操作により、給湯装置１０に適用される。
【００５６】
また、給湯装置１０の状態情報が、所定周期で随時、台所リモコン１３からルータ２０を介してサーバ５０に送信される。状態情報は、現在の給湯装置１０の設定状態および動作状態を示す情報である。携帯端末装置３０は、給湯システム１のアプリケーションプログラムにより、最新の状態情報をサーバ５０から取得して表示させることができる。これにより、携帯端末装置３０の使用者は、宅内Ｈ１０および宅外の何れにおいても、給湯装置１０の状態を監視することができる。
【００５７】
図２は、給湯システム１を構成する各機器の回路ブロックを示す図である。
【００５８】
給湯器１１は、制御部１１１と、記憶部１１２と、通信部１１３と、水位センサ１１４と、を備える。制御部１１１は、マイクロコンピュータを備え、記憶部１１２に記憶されたプログラムに従って、給湯器１１内の各部の制御を行う。記憶部１１２は、メモリを備え、所定の制御プログラムを記憶する。
【００５９】
本実施形態では、記憶部１１２に記憶された制御プログラムによって、入退浴検知部１１１ａの機能が制御部１１１に付与される。入退浴検知部１１１ａは、後述のように、水位センサ１１４の検知結果に基づいて、浴槽に対する人の入退浴を検知する。
【００６０】
通信部１１３は、制御部１１１からの制御に従って、浴室リモコン１２および台所リモコン１３と通信を行う。通信部１１３は、２芯通信線Ｌ１、Ｌ２を介して、浴室リモコン１２の通信部１２５および台所リモコン１３の通信部１３５と接続されている。また、２芯通信線Ｌ１、Ｌ２は、通信部１１３の内部において、互いに接続されている。したがって、浴室リモコン１２の通信部１２５と台所リモコン１３の通信部１３５は、２芯通信線Ｌ１、Ｌ２によって互いに接続されている。このため、通信部１１３、１２５、１３５の何れかから送信された信号は、他の通信部に同時に送信される。
【００６１】
水位センサ１１４は、後述のように、給湯器１１内の管路に配置され、当該管路内の水圧に基づいて浴槽内の水位を検出する。制御部１１１は、水位センサ１１４の検出結果に基づいて、浴槽内の水位を検知する。また、制御部１１１は、水位センサ１１４により検知された水位の変動に基づいて、入退浴検知部１１１ａの機能により、浴槽に対する人の入退を検知する。入退浴の検知結果は、２芯通信線Ｌ１、Ｌ２を介して、随時、制御部１１１から浴室リモコン１２および台所リモコン１３に送信され、さらに、無線通信部１３８を介してサーバ５０に送信される。
【００６２】
図３は、給湯器１１と浴槽２との間の接続形態を模式的に示す図である。
【００６３】
図３に示すように、給湯器１１は、図２に示した構成の他、給湯部２１０と、追い焚き部２２０と、バイパス部２３０とを備える。
【００６４】
給湯部２１０は、給水管路２１１と、給湯熱交換器２１２と、給湯管路２１３と、給湯燃焼器２１４と、給気ファン２１５とを含む。給水管路２１１は、水道管と給湯熱交換器２１２とに繋がり、給湯管路２１３は、給湯熱交換器２１２と浴室水栓３および外部水栓４とに繋がる。給湯燃焼器２１４には、ガス電磁弁２１６により開閉される給湯ガス管路２１７を通じてガス（燃料ガス）が供給される。給湯燃焼器２１４は、ガスを燃料として燃焼する。給気ファン２１５は、給湯燃焼器２１４に燃焼用の空気を供給する。
【００６５】
追い焚き部２２０は、図２に示した水位センサ１１４の他、戻り管路２２１と、ふろ熱交換器２２２と、往き管路２２３と、ふろ燃焼器２２４と、循環ポンプ２２５とを含む。戻り管路２２１は、浴槽２の循環アダプタ２ａとふろ熱交換器２２２とに繋がり、往き管路２２３は、ふろ熱交換器２２２と循環アダプタ２ａとに繋がる。
【００６６】
ふろ燃焼器２２４には、ガス電磁弁２２６により開閉されるふろガス管路２２７を通じてガス（燃料ガス）が供給される。ふろ燃焼器２２４は、ガスを燃料として燃焼する。給気ファン２１５が給湯部２１０と追い焚き部２２０との間で共用され、給気ファン２１５からふろ燃焼器２２４に燃焼用の空気が供給される。戻り管路２２１に、循環ポンプ２２５および水位センサ１１４が配置される。水位センサ１１４は、戻り管路２２１内の水圧に基づいて浴槽２内の水位を検出する。
【００６７】
バイパス部２３０は、バイパス管路２３１と、給湯電磁弁２３２とを含む。バイパス管路２３１は、給湯管路２１３と戻り管路２２１とに繋がる。給湯電磁弁２３２は、バイパス管路２３１を開閉する。
【００６８】
制御部１１１は、給湯部２１０の給湯燃焼器２１４、給気ファン２１５およびガス電磁弁２１６、追い焚き部２２０のふろ燃焼器２２４、循環ポンプ２２５、水位センサ１１４およびガス電磁弁２２６、バイパス部２３０の給湯電磁弁２３２などを制御する。
【００６９】
浴室水栓３または外部水栓４が開かれると、給湯機能が実行される。水道管からの水が給水管路２１１を通じて給湯熱交換器２１２に導入されるとともに、給湯燃焼器２１４が燃焼して給湯熱交換器２１２が加熱される。給湯熱交換器２１２に導入された水が加熱されて湯となり、湯が給湯管路２１３を通じて浴室水栓３または外部水栓４に供給される。浴室水栓３または外部水栓４が閉じられると、水道管から給水管路２１１への給水が停止するとともに給湯燃焼器２１４の燃焼が停止する。
【００７０】
また、浴室リモコン１２または台所リモコン１３から浴槽２への湯張りの指令を受けると、制御部１１１は、湯張り機能（ふろ自動機能）を実行する。この場合、給湯電磁弁２３２が開放されるとともに、水道管からの水が給水管路２１１を通じて給湯熱交換器２１２に導入され、給湯熱交換器２１２で加熱される。そして、給湯熱交換器２１２からの湯が給湯管路２１３およびバイパス管路２３１を通じて戻り管路２２１に導入される。
【００７１】
戻り管路２２１に導入された湯の一部は、戻り管路２２１を循環アダプタ２ａ側へと流れ、循環アダプタ２ａから浴槽２内に注がれる。戻り管路２２１に導入された湯の残りは、戻り管路２２１をふろ熱交換器２２２側へと流れ、さらにふろ熱交換器２２２および往き管路２２３を流れて循環アダプタ２ａから浴槽２内に注がれる。
【００７２】
給湯が行われて浴槽２内に湯が溜められると、戻り管路２２１、ふろ熱交換器２２２および往き管路２２３が水で満たされた状態となる。これにより、水位センサ１１４での浴槽２内の水位検出が可能となる。浴槽２内の水位が予め設定された水位に到達したことが水位センサ１１４により検出されると、給湯電磁弁２３２が閉じられ、水道管から給水管路２１１への給水が停止するとともに給湯燃焼器２１４の燃焼が停止する。
【００７３】
なお、湯が張られた浴槽２内に人が入ると浴槽２内の水位が上昇する。また、浴槽２内から人が出ると水位が下降する。この浴槽２内への人の出入りに基づく水位変動を、水位センサ１１４によって検出することができる。これにより、上記のように、入退浴検知部１１１ａの機能により、浴槽２に対する人の入退が検知される。
【００７４】
また、追い焚き機能の実行時には、循環ポンプ２２５が作動するとともにふろ燃焼器２２４が燃焼する。浴槽２内の湯が、戻り管路２２１、ふろ熱交換器２２２および往き管路２２３からなる循環路と浴槽２との間で循環し、その間にふろ熱交換器２２２で加熱される。浴槽２内の湯温が予め設定された上限温度よりも高くなると、循環ポンプ２２５とふろ燃焼器２２４が停止する。
【００７５】
足し湯機能では、湯張り機能（ふろ自動機能）と同様の制御により、所定量の湯が浴槽２に注入される。足し水機能の実行時には、給湯燃焼器２１４およびふろ燃焼器２２４を停止させた状態で、湯張り機能（ふろ自動機能）と同様の制御が実行され、所定量の水が浴槽２に注入される。
【００７６】
図２に戻り、浴室リモコン１２は、上述の表示部１２１および入力部１２２の他、制御部１２３と、記憶部１２４と、通信部１２５と、スピーカ１２６と、マイク１２７と、人感センサ１２８とを備える。表示部１２１は、たとえば、液晶パネルにより構成される。入力部１２２は、温度設定ボタン等の各種操作ボタンを備える。表示部１２１が、タッチパネルであってもよい。
【００７７】
制御部１２３は、マイクロコンピュータを備え、記憶部１２４に記憶されたプログラムに従って所定の制御を行う。記憶部１２４は、メモリを備え、所定の制御プログラムを記憶する。通信部１２５は、制御部１２３からの制御に従って、給湯器１１および台所リモコン１３と通信を行う。
【００７８】
本実施形態では、記憶部１２４に記憶された制御プログラムによって、入浴タイマー部１２３ａおよび安否確認部１２３ｂの機能が制御部１２３に付与される。
【００７９】
入浴タイマー部１２３ａは、給湯器１１の入退浴検知部１１１ａから入浴が検知されたことの通知を受信するとカウント（計時）を開始し、入退浴検知部１１１ａから退浴が検知されたことの通知を受信するとカウント（計時）を終了して初期値にリセットされる。安否確認部１２３ｂは、スピーカ１２６を介して浴室内に呼び掛けを行うための処理を実行する。
【００８０】
スピーカ１２６は、制御部１２３により生成された音声信号に基づく音声を出力する。制御部１２３は、記憶部１２４に記憶されている音声情報を随時読み出して、音声信号を生成する。スピーカ１２６から出力された音声は、図１の音声窓１２ａから出力される。マイク１２７は、図１の音声窓１２ａを介して、音声を集音する。
【００８１】
人感センサ１２８は、浴室に対する人の入退室を検知するための人検知センサである。人感センサ１２８は、たとえば、赤外線を用いた焦電センサである。人感センサ１２８の検出範囲は、浴室内の洗い場と浴槽２をカバーする範囲に設定される。人感センサ１２８が、洗い場の範囲と浴槽の範囲を個別に検出可能であってもよい。制御部１２３は、人感センサ１２８の出力に基づいて、浴室に対する人の入退室を検知する。制御部１２３は、人感センサ１２８の出力により、人の動きを検出してもよい。
【００８２】
台所リモコン１３は、上述の表示入力部１３１および運転ボタン１３２の他、制御部１３３と、記憶部１３４と、通信部１３５と、スピーカ１３６と、マイク１３７と、無線通信部１３８とを備える。
【００８３】
制御部１３３は、マイクロコンピュータを備え、記憶部１３４に記憶されたプログラムに従って所定の制御を行う。記憶部１３４は、メモリを備え、所定の制御プログラムを記憶する。通信部１３５は、制御部１３３からの制御に従って、給湯器１１および浴室リモコン１２と通信を行う。
【００８４】
スピーカ１３６は、制御部１３３により生成された音声信号に基づく音声を出力する。制御部１３３は、記憶部１３４に記憶されている音声情報を随時読み出して、音声信号を生成する。スピーカ１３６から出力された音声は、図１の音声窓１３ａから出力される。マイク１３７は、図１の音声窓１３ａを介して、音声を集音する。
【００８５】
無線通信部１３８は、ルータ２０との間で無線通信が可能な無線通信モジュールである。サーバ５０には、台所リモコン１３（給湯装置１０）のアドレス情報およびＩＤ情報として、無線通信部１３８のアドレス情報およびＩＤ情報が登録される。
【００８６】
携帯端末装置３０は、制御部３０１と、記憶部３０２と、無線通信部３０３と、表示入力部３０４と、スピーカ３０５と、マイク３０６と、を備える。
【００８７】
制御部３０１は、ＣＰＵ（Central Processing Unit）を備え、記憶部３０２に記憶されたプログラムに従って所定の制御を行う。記憶部３０２は、メモリを備え、所定の制御プログラムを記憶する。記憶部３０２には、給湯システム１のアプリケーションプログラムが記憶され、制御部３０１は、このプログラムに従って、遠隔制御の処理を実行する。無線通信部３０３は、制御部３０１からの制御に従って、ルータ２０および外部通信網４０と通信を行う。無線通信部３０３は、ルータ２０および外部通信網４０との間で無線通信が可能な無線通信モジュールである。無線通信部３０３にもＩＰアドレスが割り振られている。
【００８８】
表示入力部３０４は、たとえば、タッチパネルにより構成される。スピーカ３０５およびマイク３０６は、携帯端末装置３０に対する音声の入出力に用いられる。
【００８９】
サーバ５０は、制御部５０１と、記憶部５０２と、通信部５０３を備える。制御部５０１は、ＣＰＵを備え、記憶部５０２に記憶されたプログラムに従って所定の制御を行う。記憶部５０２は、メモリおよびハードディスクを備え、所定の制御プログラムおよびデータベースを記憶する。通信部５０３は、制御部５０１からの制御に従って、所定の制御を行う。
【００９０】
本実施形態では、記憶部５０２に記憶された制御プログラムによって、呼び掛け処理部５０１ａの機能が制御部５０１に付与される。呼び掛け処理部５０１ａは、携帯端末装置３０からの指令により、給湯装置１０に呼び掛け指令を送信する。
【００９１】
本実施形態では、予め、給湯装置１０に対して遠隔制御を行うことが可能な携帯端末装置３０が、給湯装置１０（台所リモコン１３）に対応付けて、サーバ５０に登録される。すなわち、予め、給湯装置１０と携帯端末装置３０とがペアリングされ、ペアリングを示す情報（ペアリング情報）が、サーバ５０において管理される。具体的には、給湯装置１０（台所リモコン１３）のＩＤ情報と携帯端末装置３０のＩＤ情報とが互いに対応づけられて、ペアリング情報が構成される。
【００９２】
このようなペアリングは、たとえば、給湯装置１０が設置された宅内Ｈ１０に設置された台所リモコン１３を介して、携帯端末装置３０がサーバ５０と通信することにより行われる。これにより、悪意の第三者によって不当に、携帯端末装置３０と給湯装置１０とがペアリングされる可能性が減少する。
【００９３】
図４は、ペアリング情報の構成を示す図である。
【００９４】
ここでは、給湯装置１０が台所リモコン１３（無線通信部１３８）のＩＤ情報により特定されている。台所リモコン１３のＩＤ情報に、当該給湯装置１０を制御可能な携帯端末装置３０のＩＤ情報とアドレス情報が対応づけられる。また、ペアリングの際に設定された各携帯端末装置３０の所有者の名前が、各携帯端末装置３０のＩＤ情報に対応づけられる。
【００９５】
この他、各携帯端末装置３０のＩＤ情報には、入浴タイマーの設定の有無が対応づけられる。ここで、入浴タイマーとは、入浴状態のまま設定時間が経過すると、そのことを携帯端末装置３０に報知する機能である。入浴タイマーの設定の有無（オン／オフ）は、携帯端末装置３０に表示される所定の設定画面を用いて設定される。
【００９６】
図５（ａ）は、携帯端末装置３０にインストールされた給湯システム１のアプリケーションプログラムが起動された場合に、携帯端末装置３０の表示入力部３０４に表示されるホーム画面６００を示す図である。
【００９７】
ホーム画面６００は、領域６１０、６２０、６３０に区分されている。領域６１０には、名称表示部６１１と、給湯温度表示部６１２と、ふろ温度表示部６１３と、ふろ湯量表示部６１４と、浴槽画像６１５と、入浴時間表示部６１６と、が含まれている。
【００９８】
名称表示部６１１には、遠隔監視が適用される給湯装置１０の名称が表示される。名称表示部６１１には、ペアリングの際に設定された給湯装置１０の名称が表示される。給湯温度表示部６１２、ふろ温度表示部６１３およびふろ湯量表示部６１４には、それぞれ、随時、サーバ５０から携帯端末装置３０が受信した状態情報に基づいて、現在の給湯温度、ふろ温度およびふろ湯量の設定状態が示される。
【００９９】
浴槽画像６１５には、現在のふろ湯量の設定状態が浴槽に溜められる水の画像として表示される。上記のように、水位センサ１１４からの出力により浴槽に人が入浴中であることが検知される場合、そのことを示す情報が、随時、サーバ５０から携帯端末装置３０に送信される。これにより、浴槽画像６１５に、人が浴槽に入浴していることを示す画像Ｍ１が付加される。また、入浴時間表示部６１６には、随時、サーバ５０から携帯端末装置３０に送信される入浴タイマーの計測時間に基づいて、浴槽に対する現在の入浴時間が表示される。
【０１００】
なお、浴室に人がいるが、入浴中でないことが、人感センサ１２８および水位センサ１１４の出力から判定される場合、画像Ｍ１に代えて、浴槽の外に人がいることを示す画像が領域６１０に含まれる。
【０１０１】
領域６２０には、所定の設定等を行うためのボタン６２１〜６２４が表示される。ボタン６２１〜６２４は、それぞれ、追い焚き機能の設定、ふろ自動機能の設定、ふろ洗浄機能の設定および入浴タイマーの設定のためのボタンである。領域６３０には、遠隔操作の対象となる機能を切り替えるための４つのボタンが表示される。
【０１０２】
携帯端末装置３０の使用者は、ホーム画面６００を参照することにより、給湯装置１０の状況を確認できる。すなわち、使用者は、自宅に居る人のふろの使用状況を種々確認することができる。これにより、使用者は、宅外および宅内の何れにいる場合にも、ふろの使用状況を的確に把握できる。
【０１０３】
また、使用者は、ホーム画面６００においてボタン６２４を操作することにより、入浴タイマーを設定できる。
【０１０４】
図５（ｂ）は、入浴タイマーの設定画面７００を示す図である。
【０１０５】
設定画面７００は、図５（ａ）のホーム画面６００において、使用者がボタン６２４を操作することにより表示される。設定画面７００は、領域７１０、７２０、７３０、７４０に区分されている。領域７１０には、この表示画面が入浴タイマーの設定画面であることを示す見出しが表示される。領域７２０には、入浴タイマーの機能の説明と、領域７３０の数字の意味を示す表記が含まれている。領域７３０には、入浴タイマーの設定時間が表示される。使用者は、領域７３０を上下にスワイプすることにより、入浴タイマーの設定時間を設定できる。領域７４０には、４つのボタン７４１、７４２、７４３、７４４が含まれている。
【０１０６】
領域７３０の設定時間が設定された後、ボタン７４１が操作されると、設定された設定時間で当該携帯端末装置３０に入浴タイマー機能が設定される。また、入浴タイマー機能が設定されている状態において、ボタン７４１が操作されると、入浴タイマー機能が解除される。これにより、ボタン７４１の標記がＯＦＦに変更される。ボタン７４４が操作されると、設定画面７００が閉じられて、図５（ａ）のホーム画面６００に戻る。入浴タイマーが設定されると、図４のペアリング情報に、入浴タイマーがオンであることを示す情報と設定時間が登録される。
【０１０７】
このとき、どの携帯端末装置３０の設定時間が優先されるかを示す優先情報が併せて登録される。優先情報で優先権が付与された携帯端末装置３０により設定された設定時間が、１つの給湯装置１０にペアリングされた携帯端末装置３０のグループにおける入浴タイマーの設定時間として用いられる。
【０１０８】
図５（ｂ）の設定画面７００において、ボタン７４２が操作されると、当該携帯端末装置３０に対応づけられた給湯装置１０の浴室リモコン１２において、呼び掛け動作が実行される。これにより、浴室リモコン１２から、浴室内の人に異常がないかを問い合わせるための音声メッセージが出力される。
【０１０９】
使用者は、図５（ａ）のホーム画面６００を参照して、浴室内に人がいることを把握すると、任意に、ボタン７４２を操作して、浴室内の人に対して呼び掛けを行える。すなわち、入浴タイマーに設定された設定時間が経過しない場合であっても、使用者は、必要に応じて、ボタン７４２を操作して、浴室内の人に対して呼び掛けを行うことができる。
【０１１０】
さらに、図５（ｂ）の設定画面７００において、ボタン７４３が操作されると、当該携帯端末装置３０に対応づけられた給湯装置１０と、サーバ５０との間の通信履歴のうち、少なくとも、呼び掛けの実行に関する通信履歴を含む履歴情報が、携帯端末装置３０において表示される。
【０１１１】
図６（ａ）は、サーバ５０の記憶部５０２に記憶される通信履歴を示す図である。図６（ｂ）は、サーバ５０から携帯端末装置３０に送信される履歴情報を示す図である。
【０１１２】
図６（ａ）に示すように、サーバ５０の記憶部５０２は、給湯装置１０（台所リモコン１３のＩＤ情報）ごとに、当該給湯装置１０との間の通信履歴を記憶する。具体的には、サーバ５０の制御部５０１は、給湯装置１０との間で情報を送受信するごとに、その内容（イベント）を送受信の日時に対応付けて、随時記憶する。すなわち、図６（ａ）の通信履歴は、サーバ５０と給湯装置１０との間で行われた送受信の履歴を示すログ情報である。記憶部５０２に記憶される通信履歴には、図６（ａ）に例示した呼び掛け、入浴、入室および退室のイベントの他、給湯温度の設定や、浴槽２の湯量（水位）の検知結果等の他のイベントも含まれる。
【０１１３】
サーバ５０の制御部５０１は、記憶部５０２に記憶されている通信履歴から、少なくとも、呼び掛け指令を給湯装置１０に送信したことを示す通信履歴を含む通信履歴を抽出して、図６（ｂ）に示す履歴情報を構成する。ここでは、呼び掛け指令を給湯装置１０に送信したことを示す通信履歴（イベント：呼び掛け）の他、呼び掛けに対して応答があったことを示す通信履歴（イベント：応答）と、浴室に対する人の入退室を示す情報を給湯装置１０から受信したことを示す通信履歴（イベント：入室、退室）と、浴槽に対する人の入退浴を示す情報を給湯装置１０から受信したことを示す通信履歴（イベント：入浴、退浴）とが、状態情報に含まれている。
【０１１４】
携帯端末装置３０の使用者は、図５（ｂ）の設定画面７００において、ボタン７４３を操作することにより、図６（ｂ）に示す履歴情報に含まれる通信履歴を、時系列で、携帯端末装置３０に表示させることができる。これにより、使用者は、図５（ｂ）のボタン７４２を操作して浴室内に呼び掛けを行う前に、既に、他の携帯端末装置３０の使用者から呼び掛けが行われたか否かを確認でき、さらに、入室および入浴の経過時間を把握することができる。
【０１１５】
次に、入浴タイマー動作時における制御について説明する。
【０１１６】
図７および図８（ａ）、（ｂ）は、それぞれ、入浴タイマー動作時に、浴室リモコン１２、サーバ５０および携帯端末装置３０が実行する制御を示すフローチャートである。
【０１１７】
図７を参照して、浴室リモコン１２の制御部１２３は、給湯器１１の入退浴検知部１１１ａから入浴開始の通知を受信すると（Ｓ１０１：ＹＥＳ）、入浴タイマー部１２３ａを起動する（Ｓ１０２）。入浴タイマー部１２３ａのカウント値が設定時間に到達する前に（Ｓ１０３：ＮＯ）、入浴者が浴槽２から退出したことの通知を入退浴検知部１１１ａから受信すると（Ｓ１０５：ＹＥＳ）、制御部１２３は、入浴タイマー部１２３ａを終了させて（Ｓ１０６）、処理を終了する。
【０１１８】
他方、入浴者が浴槽２から退出しないまま（Ｓ１０５：ＮＯ）、入浴タイマー部１２３ａのカウント値が入浴タイマーの設定時間に到達すると（Ｓ１０３：ＹＥＳ）、制御部１２３は、入浴状態が入浴タイマーの設定時間以上継続したこと（長時間入浴が生じたこと）を示す長時間入浴通知を、安否確認部１２３ｂにより、台所リモコン１３を介して、サーバ５０に送信する（Ｓ１０４）。そして、制御部１２３は、入浴タイマー部１２３ａの計時を終了させて（Ｓ１０６）、処理を終了する。
【０１１９】
図８（ａ）を参照して、サーバ５０の制御部５０１は、台所リモコン１３から長時間入浴通知を受信すると（Ｓ２０１：ＹＥＳ）、受信した長時間入浴通知を、呼び掛け処理部５０１ａの機能により、当該台所リモコン１３に対応付けられ、且つ、図４のペアリング情報において入浴タイマーがＯＮに設定されている全ての携帯端末装置３０に送信する（Ｓ２０２）。
【０１２０】
図８（ｂ）を参照して、携帯端末装置３０の制御部３０１は、サーバ５０から長時間入浴通知を受信すると（Ｓ３０１：ＹＥＳ）、入浴者に呼び掛けを行うための呼び掛け操作を受け付ける処理を実行する（Ｓ３０２）。
【０１２１】
ステップＳ３０２の処理において、制御部３０１は、給湯システム１のアプリケーションプログラムの起動時に表示するホーム画面６００において、図９（ａ）に示すように、ボタン６２４を点滅させて、入浴時間が設定時間を超過したことを報知し、当該携帯端末装置３０の使用者に、ボタン６２４の操作を促す。これに応じて、使用者がボタン６２４を操作すると、制御部３０１は、画面を、図９（ｂ）の設定画面７００に切り替えて、ボタン７４２を点滅させ、当該使用者に、ボタン７４２の操作を促す。
【０１２２】
このとき、使用者は、図５（ｂ）の場合と同様、ボタン７４３を操作することにより、図６（ｂ）に示す履歴情報を、携帯端末装置３０の表示入力部３０４に表示させることができる。
【０１２３】
図８（ｂ）に戻り、図９（ｂ）の設定画面７００において、使用者によりボタン７４２を操作されると（Ｓ３０３：ＹＥＳ）、浴室内に呼び掛けを行うための呼び掛け指令をサーバ５０に送信する（Ｓ３０４）。
【０１２４】
図８（ａ）を参照して、サーバ５０の制御部５０１は、図８（ｂ）のステップＳ３０４において送信された呼び掛け指令を、何れかの携帯端末装置３０から受信すると（Ｓ２０３：ＹＥＳ）、呼び掛け処理部５０１ａの機能により、当該携帯端末装置３０に対応付けられている給湯装置１０（台所リモコン１３）に対して、呼び掛け指令を送信する（Ｓ２０４）。
【０１２５】
こうして、サーバ５０の制御部５０１から給湯装置１０（台所リモコン１３）に呼び掛け指令が送信されると、台所リモコン１３は、受信した呼び掛け指令を浴室リモコン１２に転送する。これにより、浴室リモコン１２の制御部１２３は、安否確認部１２３ｂの機能により、入浴者に対する呼び掛けを実行する。
【０１２６】
具体的には、制御部１２３は、スピーカ１２６から状況を問い合わせるための音声を出力させる。これにより、図１０（ａ）に示すように、音声窓１２ａから問い合わせの音声が出力される。たとえば、浴室内の人に対して「大丈夫ですか」と問いかける音声が、音声窓１２ａを介して、図２のスピーカ１２６から出力される。
【０１２７】
さらに、制御部１２３は、入浴者からの応答を受けるために、図１０（ｂ）に示すように、浴室リモコン１２の入力部１２２に配置された何れかのボタンを操作することを入浴者に促すメッセージ音声を、音声窓１２ａを介して、スピーカ１２６から出力させる。このメッセージに対し、入浴者は、自身に異常が無い場合、図１０（ｃ）に示すように、入力部１２２に配置された何れかのボタンを操作する。これに応じて、制御部１２３は、入浴者が正常であることを示す応答をサーバ５０に送信する。
【０１２８】
この応答は、図６（ａ）に示す通信履歴として、サーバ５０の記憶部５０２に記憶され、図６（ｂ）の履歴情報として、サーバ５０から、当該給湯装置１０に対応付けられている各携帯端末装置３０に送信される。後述のように、この応答は、図５（ｂ）または図９（ｂ）のボタン７４３が操作された場合に、履歴情報として、携帯端末装置３０の表示入力部３０４に表示される。
【０１２９】
他方、入浴者に異常が生じている場合、入浴者は、図１０（ａ）、（ｂ）の問いかけに対して、適切に応答することができない。たとえば、入浴者が気を失っている場合、入浴者は、入力部１２２のボタンを操作できない。この場合、制御部１２３は、図１０（ｂ）のメッセージ音声を出力した後、入力部１２２に対する操作がないまま所定時間（たとえば数十秒）が経過したタイミングで、入浴者に異常が生じたことを示す異常通知をサーバ５０に送信する。このとき、制御部１２３は、図１０（ｄ）に示すように、異常の連絡を携帯端末装置３０に行うことのメッセージを、音声窓１２ａを介して、スピーカ１２６から出力させてもよい。
【０１３０】
この異常通知は、図６（ａ）に示す通信履歴として、サーバ５０の記憶部５０２に記憶され、さらに、サーバ５０から当該給湯装置１０に対応付けられている各携帯端末装置３０に送信される。これにより、各携帯端末装置３０において、入浴者に異常が生じたことを使用者に報知する処理が行われる。なお、この異常通知が、図６（ｂ）の履歴情報として、サーバ５０から、当該給湯装置１０に対応付けられている各携帯端末装置３０に送信されてもよい。この場合、図５（ｂ）または図９（ｂ）のボタン７４３が操作されることに応じて、異常通知が履歴情報として携帯端末装置３０の表示入力部３０４に表示される。
【０１３１】
次に、図５（ｂ）または図９（ｂ）の設定画面７００において、履歴情報を表示させるためのボタン７４３が操作された場合の制御について説明する。
【０１３２】
図１１（ａ）、（ｂ）は、図５（ｂ）または図９（ｂ）の設定画面７００において、履歴情報を表示させるためのボタン７４３が操作された場合の、携帯端末装置３０およびサーバ５０における制御を示すフローチャートである。
【０１３３】
図１１（ａ）を参照して、携帯端末装置３０の制御部３０１は、使用者からの履歴表示の操作を受け付けたか否かを判定する（Ｓ３１１）。具体的には、制御部３０１は、図５（ｂ）または図９（ｂ）の設定画面において、履歴情報を表示させるためのボタン７４３が操作されたか否かを判定する。ボタン７４３が操作された場合（Ｓ３１１：ＹＥＳ）、制御部３０１は、履歴情報の送信要求（履歴要求通知）を、サーバ５０に送信する（Ｓ３１２）。
【０１３４】
図１１（ｂ）を参照して、サーバ５０の制御部５０１は、携帯端末装置３０から履歴要求通知を受信すると（Ｓ２１１：ＹＥＳ）、図６（ａ）、（ｂ）を参照して説明したとおり、当該携帯端末装置３０に対応付けられている給湯装置１０（台所リモコンＩＤ）の通信履歴から履歴情報を抽出し（Ｓ２１２）、抽出した履歴情報を、履歴要求通知の送信元の携帯端末装置３０に送信する（Ｓ２１３）。
【０１３５】
図１１（ａ）を参照して、携帯端末装置３０の制御部３０１は、サーバ５０から履歴情報を受信すると（Ｓ３１３：ＹＥＳ）、受信した履歴情報を時系列で、表示入力部３０４に表示させる（Ｓ３１４）。そして、制御部３０１は、履歴情報の表示画面において、履歴情報の表示を終了させる操作がなければ（Ｓ３１５：ＮＯ）、処理をステップＳ３１２に戻して、所定の周期で、履歴要求通知をサーバ５０に送信する。これにより、最新の履歴情報が随時サーバ５０から携帯端末装置３０に送信されて、履歴情報の表示が、随時、更新される。
【０１３６】
図１２（ａ）、（ｂ）は、図１１（ａ）のステップ３１４において表示される履歴画面８００の構成例を示す図である。
【０１３７】
履歴画面８００は、領域８１０と、領域８２０とに区分されている。このうち、領域８１０に、履歴情報が時系列で表示される。領域８２０には、履歴画面８００を閉じるためのボタン８２１が配置されている。ボタン８２１が操作されると、履歴画面８００が閉じられて、図５（ｂ）または図９（ｂ）の設定画面７００に戻る。
【０１３８】
図１２（ａ）に示すように、領域８１０には、日時が最新のイベントから各イベントが下方向に時系列の順で並ぶように、履歴情報に含まれる各通信履歴がその日時とともに表示される。図１２（ａ）の例では、最新のイベントが「呼び掛け」の通信履歴であり、これに、「入浴」および「入室」の通信履歴が続いて表示されている。使用者は、領域８１０を上下方向にスワイプすることにより、領域８１０に表示される通信履歴を時系列方向にスクロールさせることができる。図１２（ｂ）には、領域８１０を白抜きの矢印の方向にスワイプしたときの状態が示されている。
【０１３９】
ここで、制御部３０１は、履歴情報に含まれる履歴情報のうち、浴室に対する最新の入室以降の履歴情報を、最新の入室より前の履歴情報から区別可能に、表示入力部３０４に表示させる。図１２（ａ）の表示例では、上から３段目のイベントが最新の入室に対応する。したがって、領域８１０には、上から３段目までの通信履歴が、４段目以降の通信履歴から区別可能に、表示入力部３０４に表示される。ここでは、上から３段目までの通信履歴の背景色を、４段目以降の通信履歴の背景色と相違させることにより、浴室に対する最新の入室以降の履歴情報が、最新の入室より前の履歴情報から区別可能となっている。
【０１４０】
なお、区別の方法は、背景色を相違させる方法に限られるものではなく、他の方法であってもよい。たとえば、文字の色や、フォント、文字サイズ、文字の太さを相違させることにより、浴室に対する最新の入室以降の履歴情報が、最新の入室より前の履歴情報から区別可能となっていてもよい。あるいは、図１３（ａ）に示すように、太線等の区切りを示す図形を最新の入室とそれ以前のイベントとの間の境界に追加することにより、浴室に対する最新の入室以降の履歴情報が、最新の入室より前の履歴情報から区別可能となっていてもよい。
【０１４１】
さらには、図１３（ｂ）に示すように、最新の入室より前の履歴情報を表示から消す（最新の入室以降の履歴情報のみを表示させる）ことにより、浴室に対する最新の入室以降の履歴情報が、最新の入室より前の履歴情報から区別可能となっていてもよい。
【０１４２】
また、図１２（ａ）および図１３（ａ）における履歴画面８００の表示形態では、最新の入室より前の履歴情報についても、入室から退室までの通信履歴を１単位として、時系列方向に隣り合う２つの単位が、互いに区別可能に表示されてもよい。
【０１４３】
なお、本実施形態では、図６（ｂ）に示すように、履歴情報に入室および退室に関する通信履歴が含まれるため、図１２（ａ）に示すように、最新の入室に関する通信履歴と、それ以降の通信履歴とが、最新の入室より前の通信履歴に対して区別可能に表示された。これに対し、履歴情報に入室および退室に関する通信履歴が含まれない場合は、最新の入室以降の履歴情報は、最新の入浴に関する通信履歴と、それ以降の通信履歴となる。したがって、この場合は、最新の入浴以降の通信履歴が、最新の入浴より前の通信履歴に対して区別可能に、表示入力部３０４に表示される。
【０１４４】
使用者は、履歴画面８００を参照することにより、現在の入浴に対して既に他の携帯端末装置３０から呼び掛けが行われたか否かを把握でき、さらに、入室および入浴の継続時間を把握できる。図１２（ａ）の例では、最新の入浴に対して、既に、呼び掛けが行われている。これにより、使用者は、さらに自身が、呼び掛け操作を行うべきか否かを適切に判断することができる。
【０１４５】
＜実施形態の効果＞
実施形態によれば、以下の効果が奏され得る。
【０１４６】
図６（ｂ）に示したように、少なくとも、呼び掛けの実行に関する通信履歴を含む履歴情報が、携帯端末装置３０に送信されるため、図１２（ａ）に示したように、当該携帯端末装置３０において、呼び掛けの状況を時系列で表示できる。これにより、当該携帯端末装置３０の使用者は、他の携帯端末装置３０を介して既に呼び掛けが行われたか否かを知ることができる。よって、各使用者は、自身で呼び掛けを行うべきか、あるいは、このまま放置すべきかを判断でき、浴室内に対する呼び掛けを適切に行うことができる。
【０１４７】
また、図６（ｂ）に示したように、履歴情報は、呼び掛けに対する応答の通信履歴を含んでいる。これにより、図１２（ｂ）に示したように、呼び掛けに対して入浴者から応答があった場合に、その旨が携帯端末装置３０に表示される。よって、携帯端末装置３０の使用者は、自身が呼び掛けを行うべきか否かを、より適切に判断できる。
【０１４８】
また、図６（ｂ）に示したように、履歴情報は、浴槽に対する入退浴の検知結果に関する通信履歴を含んでいる。これにより、図１２（ａ）に示したように、入退浴に関する通信履歴が、日時とともに、時系列で、携帯端末装置３０に表示され、この表示により、携帯端末装置３０の使用者は、入退浴の事実と、入浴が継続している場合は、その経過時間を知ることができる。よって、使用者は、自身が呼び掛けを行うべきか否かを、より適切に判断できる。
【０１４９】
また、図６（ｂ）に示したように、履歴情報は、浴室に対する入退室の検知結果に関する通信履歴を含んでいる。これにより、図１２（ａ）に示したように、入退室に関する通信履歴が、日時とともに、時系列で、携帯端末装置３０に表示され、この表示により、携帯端末装置３０の使用者は、入退室の事実と、入室が継続している場合は、その経過時間を知ることができる。よって、使用者は、自身が呼び掛けを行うべきか否かを、より適切に判断できる。
【０１５０】
また、図８（ａ）に示したように、サーバ５０は、入浴タイマー部１２３ａにより入浴時間が所定の設定時間を超過したと判定されたことに基づいて、長時間入浴通知を携帯端末装置３０に送信する（Ｓ２０２）。これにより、図９（ｂ）に示したように、携帯端末装置３０において、入浴時間が所定の設定時間を超過したことが、ボタン７４２の点滅により、使用者に報知される。携帯端末装置３０の使用者は、この報知を受けた際に、ボタン７４３を操作して履歴情報を確認することにより、自身が呼び掛けを行うべきか否かを適切に判断できる。よって、使用者は、長時間の入浴が生じた場合に、適切に、呼び掛け操作を行うことができる。
【０１５１】
また、図５（ｂ）および図９（ｂ）に示したように、携帯端末装置３０では、呼び掛け操作の受け付けの際に、ボタン７４３が操作されることにより、少なくとも呼び掛けの実行に関する通信履歴を含む履歴情報が表示される。これにより、当該携帯端末装置３０の使用者は、自身の携帯端末装置３０により呼び掛け操作を行おうとする際に、履歴情報を簡易な操作で確認でき、他の携帯端末装置３０を介して呼び掛けが行われたか否かを円滑に知ることができる。よって、各使用者は、自身で呼び掛けを行うべきか、あるいは、このまま放置すべきかを判断でき、浴室内に対する呼び掛けを適切に行うことができる。
【０１５２】
また、図１２（ａ）〜図１４（ｂ）に示したように、携帯端末装置３０の制御部３０１は、浴室に対する最新の入室以降の履歴情報を、最新の入室より前の履歴情報から区別可能に表示させる。これにより、携帯端末装置３０の使用者は、現時点の入浴に対して呼び掛けが行われたか否かを、的確に把握できる。よって、使用者は、呼び掛けの要否をより円滑に判断でき、呼び掛けの対応をより適切に進めることができる。
【０１５３】
また、図９（ｂ）に示したように、携帯端末装置３０の制御部３０１は、入浴時間が所定の設定時間を超過したことを示す長時間入浴通知をサーバ５０から受信したことに基づいて、入浴が設定時間を超過したことの報知（ボタン７４２の点滅）を、設定画面７００（呼び掛けの操作の受け付け画面）において行う。これにより、携帯端末装置３０の使用者は、長時間入浴が生じたことを把握でき、さらに、その際に、履歴情報を参照することで、当該長時間入浴に対して呼び掛けを行うべきか否かを適切に判断できる。よって、使用者は、長時間入浴に対する呼び掛け操作を、より円滑に進めることができる。
【０１５４】
＜変更例１＞
上記実施形態では、図５（ｂ）および図９（ｂ）に示したように、履歴情報を表示させるためのボタン７４３を、設定画面７００（呼び掛け操作の受付画面）に含めておき、このボタン７４３が操作されることによって、図１２（ａ）の履歴画面８００が表示されたが、たとえば、図１４（ａ）に示すように、設定画面７００（呼び掛け操作の受付画面）に、履歴情報が直接表示されてもよい。
【０１５５】
図１４（ａ）の構成例では、図５（ｂ）および図９（ｂ）の設定画面７００に比べて、ボタン７４３が省略され、履歴情報を表示するための領域７４５が新たに含まれる。領域７４５には、履歴情報に含まれる通信履歴が、通信の日時とともに、時系列で表示される。表示される履歴情報は、領域７４５のサイズとの関係から、図１２（ａ）に比べて簡略化されている。使用者は、領域７４５を上下方向にスワイプすることにより、領域７４５に表示される履歴情報を時系列方向にスクロールさせることができる。この場合も、上記実施形態と同様、履歴情報は、最新の入室以降の通信履歴が、それより前の通信履歴から区別可能に表示される。
【０１５６】
この変更例によれば、使用者は、上記実施形態のようにボタン７４３を操作しなくても、設定画面７００において、そのまま、履歴情報を確認できる。よって、より円滑に、呼び掛けの要否を判断することができる。
【０１５７】
＜変更例２＞
上記実施形態では、図５（ａ）および図９（ａ）のホーム画面６００においてボタン６２４が点滅し、また、図５（ｂ）および図９（ｂ）の設定画面７００においてボタン７４２が点滅することにより、入浴時間が設定時間を超過したことが報知されたが、長時間入浴の報知の方法はこれに限られるものではない。また、呼び掛け操作の受け付け方法および履歴情報の表示方法も、図５（ｂ）および図９（ｂ）の設定画面７００による方法に限られるものではない。
【０１５８】
たとえば、図８（ｂ）のステップＳ３０２において、図１４（ｂ）に示す受付画面９００が、表示入力部３０４に表示されてもよい。受付画面９００は、長時間入浴が生じたことの報知および呼び掛け要否の問い合わせを含むメッセージ９０１と、呼び掛けの要否を受け付けるボタン９０２、９０３と、履歴情報を表示するための領域９０４と、を含んでいる。
【０１５９】
領域９０４に、履歴情報に含まれる通信履歴が、通信の日時とともに、時系列で表示される。表示される履歴情報は、図１４（ａ）の領域７４５と同様、簡略化されている。使用者は、領域９０４を上下方向にスワイプすることにより、領域９０４に表示される履歴情報を時系列方向にスクロールさせることができる。この場合も、上記実施形態と同様、履歴情報は、最新の入室以降の通信履歴が、それより前の通信履歴から区別可能に表示される。図１４（ｂ）の例では、仕切り線９０４ａによって、最新の入室以降の通信履歴が、それより前の通信履歴から区別されている。
【０１６０】
ボタン９０２が操作されると、図８（ｂ）のステップＳ３０３の判定がＹＥＳとなって、ステップＳ３０４により、携帯端末装置３０からサーバ５０に、呼び掛け指令が送信される。ボタン９０３が操作されると、図８（ｂ）のステップＳ３０３の判定がＮＯとなって、処理が終了し、画面がホーム画面６００へと移行する。
【０１６１】
この変更例によっても、使用者は、呼び掛け操作を行う際に、領域９０４に表示された履歴情報を参照することにより、既に、他の携帯端末装置３０から呼び掛けが行われたか否かを知ることができる。よって、使用者は、ボタン９０２、９０３により呼び掛け操作の実行および回避を円滑に選択することができる。
【０１６２】
＜その他の変更例＞
上記実施形態では、長時間入浴が生じていない場合に表示される図５（ｂ）の設定画面７００においても、履歴情報を表示させるためのボタン７４３が含まれたが、長時間入浴が生じていない場合に表示される図５（ｂ）の設定画面７００では、ボタン７４３が省略され、長時間入浴が生じた場合のみ、設定画面７００に、履歴情報を表示させるためのボタン７４３が含まれてもよい。
【０１６３】
また、上記実施形態では、履歴情報が図６（ｂ）に示す構成であったが、履歴情報は、少なくとも、呼び掛けに関する通信履歴を含んでいればよく、たとえば、図６（ｂ）の構成から、入退室に関する通信履歴が省略されてもよく、あるいは、呼び掛けに対する応答がないことを示す異常通知等の他の通信履歴が追加されてもよい。
【０１６４】
また、図１１（ａ）、（ｂ）の制御では、携帯端末装置３０からサーバ５０に履歴要求通知が送信されることにより、サーバ５０から携帯端末装置３０に履歴情報が送信されたが、履歴要求通知を受信することなく、サーバ５０から随時、最新の履歴情報が携帯端末装置３０に送信されてもよい。この場合、図１１（ａ）のステップＳ３１２および図１１（ｂ）のステップＳ２１１は省略される。
【０１６５】
また、履歴情報の表示形態は、図１２（ａ）〜図１４（ｂ）に示した形態に限られるものではなく、種々変更が可能である。たとえば、呼び掛けを行った携帯端末装置３０の所有者の名前（図４参照）がさらに表示されてもよい。
【０１６６】
また、上記実施形態では、水位センサ１１４の出力に基づいて、入浴の有無が検知されたが、入浴の有無の検知方法はこれに限られるものではない。たとえば、人感センサ１２８の検出範囲が浴槽の範囲をカバーする場合は、人感センサ１２８の出力に基づいて入浴の有無が検知されてもよい。あるいは、浴室リモコン１２の入力部１２２に、入退浴時に入浴者が操作するボタンが配置される場合、このボタンの操作に基づいて入浴の有無が検知されてもよい。
【０１６７】
また、上記実施形態では、呼び掛けに対する応答が入力部１２２の何れかのボタンへの操作によって行われたが、呼び掛けに対する応答方法はこれに限られるものではない。たとえば、浴室リモコン１２が音声認識機能を備える場合、音声窓１２ａを介した音声入力により、呼び掛けに対する応答がなされてもよい。また、浴室リモコン１２が音声認識機能を備えない場合、音声入力の有無により、入浴者の正常および異常を判定してもよい。
【０１６８】
また、上記実施形態では、入浴タイマー部１２３ａが浴室リモコン１２に設けられたが、入浴タイマー部１２３ａの配置はこれに限られるものではない。たとえば、入浴タイマー部が、台所リモコン１３またはサーバ５０に設けられてもよい。あるいは、給湯システム１に図２以外の制御装置が配置される場合、この制御装置に入浴タイマー部１２３ａが設けられてもよい。同様に、入退浴検知部１１１ａも、図２の配置に限られず、給湯器１１以外の、給湯装置１０を構成する他の装置に配置されてもよい。
【０１６９】
また、上記実施形態では、給湯装置１０を構成する台所リモコン１３に無線通信部１３８が設けられたが、無線通信部が給湯器１１に設けられて給湯器１１がルータ２０に接続されてもよい。あるいは、給湯器１１、浴室リモコン１２および台所リモコン１３以外に無線通信部を備えた制御ユニットが給湯装置１０に配置され、この制御ユニットがルータ２０に接続されてもよい。この場合、上記実施形態における台所リモコン１３による制御は、制御ユニットによって行われる。
【０１７０】
また、給湯器１１の構成は、図３に示した構成に限られるものではなく、他の構成であってもよい。たとえば、図３の構成では、浴槽２内の湯をふろ熱交換器２２２に循環させることによって、浴槽２内の湯に対する追い焚きが行われたが、給湯器１１が、高温の湯を浴槽に追加することにより追い焚き機能が実行されてもよい。
【０１７１】
なお、給湯装置１０を遠隔制御する端末装置に、携帯性がなく所定の場所に設置される据え置き型の端末装置が含まれてもよい。また、給湯装置１０は、ガス燃料を用いるものに限らず、オイルを燃料とする給湯装置であってもよい。給湯装置１０は、貯留タンクを用いた貯留式のものであってもよく、燃料電池等の発電ユニットをさらに備えた構成であってもよい。
【０１７２】
また、上記実施形態では、浴槽に対する所定のふろ機能を実行するふろ機能装置として、ふろ関連機能とともに給湯機能を備えた給湯装置１０が例示されたが、ふろ機能装置は、ふろ関連機能のみを実行可能な装置であってもよい。たとえば、浴槽２に溜められた水を、熱交換器に循環させて暖める機能のみを有するふろ機能装置を、ふろシステムが備える構成であってもよい。この場合、ふろ機能装置は、ふろを沸かすための構成と、ふろシステムのサーバと通信するための構成とを備えていればよい。たとえば、ふろ機能装置は、上記実施形態と同様の浴室リモコンおよび台所リモコンの少なくとも一方を備え、このリモコンを介して、サーバに接続される構成であってもよい。
【０１７３】
この他、本発明の実施形態は、特許請求の範囲に記載の範囲で適宜種々の変更可能である。
【符号の説明】
【０１７４】
１  給湯システム（ふろシステム）
１０  給湯装置（ふろ機能装置）
３０  携帯端末装置
４０  外部通信網
５０  サーバ
１１１ａ  入退浴検知部
１２３ａ  入浴タイマー部
１２３ｂ  安否確認部
５０１ａ  呼び掛け処理部
７００  設定画面（受付画面）
７４３  ボタン
【図１】
2022002386.tif 000003
【図２】
2022002386.tif 000004
【図３】
2022002386.tif 000005
【図４】
2022002386.tif 000006
【図５】
2022002386.tif 000007
【図６】
2022002386.tif 000008
【図７】
2022002386.tif 000009
【図８】
2022002386.tif 000010
【図９】
2022002386.tif 000011
【図１０】
2022002386.tif 000012
【図１１】
2022002386.tif 000013
【図１２】
2022002386.tif 000014
【図１３】
2022002386.tif 000015
【図１４】
2022002386.tif 000016